(57)【要約】【課題】  曲のＵＲＬを管理することなく曲をプリセット登録し、プリセット再生指示に応じて曲リストの中からプリセット登録された曲を確実に特定すること。【解決手段】  プリセット登録する指示が入力された場合、曲特定テーブルに、選択された曲のタイトル、及び、選択された曲に到達するまでに選択された１又は複数のフォルダのタイトルが管理される。プリセット再生する指示が入力された場合、曲特定テーブルに管理されている１又は複数のフォルダのタイトル、及び、曲のタイトルを曲リストから自動的に選択することによって、曲リストからプリセットされている曲を自動的に特定する。【選択図】図１０
2011232961.tif 000002
【特許請求の範囲】
【請求項１】
１又は複数のフォルダの識別情報、及び／又は、１又は複数のコンテンツの識別情報を含むコンテンツリストを取得するリスト取得手段と、
前記コンテンツリストからユーザ操作に応じてコンテンツを選択する選択手段と、
選択されたコンテンツの識別情報、及び、選択されたコンテンツに到達するまでに選択された１又は複数のフォルダの識別情報を管理する管理手段と、
前記管理手段によって管理されている１又は複数のフォルダの識別情報、及び、コンテンツの識別情報を使用し、前記コンテンツリストからコンテンツを特定する特定手段とを備える、コンテンツ特定装置。
【請求項２】
前記特定手段が、前記管理手段によって管理されているフォルダの識別情報で特定されるフォルダを前記コンテンツリストから選択し、前記管理手段によって管理されているコンテンツの識別情報で特定されるコンテンツを前記コンテンツリストから選択する、請求項１に記載のコンテンツ特定装置。
【請求項３】
前記特定手段によって特定されたコンテンツを再生する再生手段をさらに備え、
ユーザ操作によって、選択されたコンテンツをプリセット登録する指示が入力された場合、前記管理手段が、選択されたコンテンツの識別情報、及び、選択されたコンテンツに到達するまでに選択された１又は複数のフォルダの識別情報を管理し、
ユーザ操作によってプリセット再生する指示が入力された場合、前記特定手段が前記コンテンツリストからコンテンツを特定し、前記再生手段が前記特定手段によって特定されたコンテンツを再生する、請求項１または２に記載のコンテンツ特定装置。
【請求項４】
前記選択手段によって選択されたコンテンツ、又は、前記特定手段によって特定されたコンテンツを再生する再生手段をさらに備え、
前記コンテンツ特定装置が電源オン状態からスタンバイ状態に移行する際に、前記管理手段が、前記再生手段が再生しているコンテンツの識別情報、及び、前記再生手段が再生しているコンテンツに到達するまでに選択された１又は複数のフォルダの識別情報を管理し、
前記コンテンツ特定装置がスタンバイ状態から電源オン状態に移行する際に、前記特定手段が前記コンテンツリストからコンテンツを特定し、前記再生手段が前記特定手段によって特定されたコンテンツを再生する、請求項１〜３のいずれかに記載のコンテンツ特定装置。
【請求項５】
１又は複数のフォルダの識別情報、及び／又は、１又は複数のコンテンツの識別情報を含むコンテンツリストを取得するリスト取得ステップと、
前記コンテンツリストからユーザ操作に応じてコンテンツを選択する選択ステップと、
選択されたコンテンツの識別情報、及び、選択されたコンテンツに到達するまでに選択された１又は複数のフォルダの識別情報を管理する管理ステップと、
前記管理手段によって管理されているフォルダの識別情報、及び、コンテンツの識別情報を使用し、前記コンテンツリストからコンテンツを特定する特定ステップとをコンピュータに実行させる、コンテンツ特定プログラム。
【発明の詳細な説明】
【技術分野】
【０００１】
本発明は、コンテンツリストからコンテンツを特定するコンテンツ特定装置に関する。
【背景技術】
【０００２】
ＡＶアンプは、インターネットラジオ端末としての機能を備え、インターネットラジオサーバからインターネット経由でコンテンツデータ（曲データ）をストリーミング形式で取得し、再生することができる。ＡＶアンプは、曲リストをサーバから取得し、表示装置に表示し、ユーザは再生すべき所望の曲を曲リストの中から選択する。曲リストから曲が選択されている状態、または、選択された曲を再生している状態において、ユーザ操作によって、選択されている曲をプリセット登録する指示が入力されると、選択された曲のＵＲＬが登録される。そして、プリセット再生する指示がユーザ操作によって入力されると、ＡＶアンプは、プリセットに対応付けて登録されているＵＲＬを読み出して、当該ＵＲＬに接続することによって、プリセット登録されている曲をサーバから取得して再生することができる。
【０００３】
ここで、インターネットラジオの曲のＵＲＬは一時的なものが多く、サーバの運営者によって変更されることがある。ＵＲＬが変更されると、プリセットに対応付けて登録されているＵＲＬにＡＶアンプが接続できず、プリセット登録されている曲をサーバから取得することができなくなる。
【０００４】
また、ＡＶアンプがユーザ操作に応じて電源オン状態からスタンバイ状態に移行する際に、再生している曲のＵＲＬをメモリに記憶し、次に電源オン状態に移行する際に、メモリに記憶しておいたＵＲＬに接続することで、スタンバイ状態に移行する際に再生していた曲を再生するレジューム再生機能が考えられる。この場合にも同様に、曲のＵＲＬが変更されると、メモリに記憶されているＵＲＬにＡＶアンプが接続できず、スタンバイ状態に移行する際に再生していた曲をサーバから取得することができなくなる。
【先行技術文献】
【特許文献】
【０００５】
【特許文献１】特開２００１−２０２３６８号公報
【発明の概要】
【発明が解決しようとする課題】
【０００６】
本発明の目的は、選択されたコンテンツの情報を管理しておき、後から、管理されているコンテンツをコンテンツリストから確実に特定することができるコンテンツ特定装置を提供することである。
【課題を解決するための手段】
【０００７】
本発明の好ましい実施形態によるコンテンツ特定装置は、１又は複数のフォルダの識別情報、及び／又は、１又は複数のコンテンツの識別情報を含むコンテンツリストを取得するリスト取得手段と、前記コンテンツリストからユーザ操作に応じてコンテンツを選択する選択手段と、選択されたコンテンツの識別情報、及び、選択されたコンテンツに到達するまでに選択された１又は複数のフォルダの識別情報を管理する管理手段と、前記管理手段によって管理されている１又は複数のフォルダの識別情報、及び、コンテンツの識別情報を使用し、前記コンテンツリストからコンテンツを特定する特定手段とを備える。
【０００８】
管理手段は選択手段によって選択されたコンテンツの識別情報、及び、選択されたコンテンツに到達するまでに選択された１又は複数のフォルダの識別情報を管理しておく。そして、後から、特定手段が、管理手段によって管理されている１又は複数のフォルダの識別情報、及び、コンテンツの識別情報を使用し、コンテンツリストからコンテンツを特定する。従って、コンテンツのＵＲＬを管理することなく、コンテンツリストの中から、ユーザ操作によって選択されたコンテンツを後から確実に特定することができる。
【０００９】
好ましい実施形態においては、前記特定手段が、前記管理手段によって管理されているフォルダの識別情報で特定されるフォルダを前記コンテンツリストから選択し、前記管理手段によって管理されているコンテンツの識別情報で特定されるコンテンツを前記コンテンツリストから選択する。
【００１０】
好ましい実施形態においては、前記特定手段によって特定されたコンテンツを再生する再生手段をさらに備え、ユーザ操作によって、選択されたコンテンツをプリセット登録する指示が入力された場合、前記管理手段が、選択されたコンテンツの識別情報、及び、選択されたコンテンツに到達するまでに選択された１又は複数のフォルダの識別情報を管理し、ユーザ操作によってプリセット再生する指示が入力された場合、前記特定手段が前記コンテンツリストからコンテンツを特定し、前記再生手段が前記特定手段によって特定されたコンテンツを再生する。
【００１１】
プリセット登録する指示が入力された場合、管理手段は、選択されたコンテンツの識別情報、及び、選択されたコンテンツに到達するまでに選択された１又は複数のフォルダの識別情報を管理する。プリセット再生する指示が入力された場合、特定手段が、管理手段によって管理されている１又は複数のフォルダの識別情報、及び、コンテンツの識別情報を使用し、コンテンツリストからコンテンツを特定する。従って、コンテンツのＵＲＬを管理することなく、コンテンツをプリセット登録し、コンテンツリストの中から、プリセット登録されたコンテンツを後から確実に特定することができる。
【００１２】
好ましい実施形態においては、前記選択手段によって選択されたコンテンツ、又は、前記特定手段によって特定されたコンテンツを再生する再生手段をさらに備え、前記コンテンツ特定装置が電源オン状態からスタンバイ状態に移行する際に、前記管理手段が、前記再生手段が再生しているコンテンツの識別情報、及び、前記再生手段が再生しているコンテンツに到達するまでに選択された１又は複数のフォルダの識別情報を管理し、前記コンテンツ特定装置がスタンバイ状態から電源オン状態に移行する際に、前記特定手段が前記コンテンツリストからコンテンツを特定し、前記再生手段が前記特定手段によって特定されたコンテンツを再生する。
【００１３】
電源オン状態からスタンバイ状態に移行する場合、管理手段は、再生しているコンテンツの識別情報、及び、選択されたコンテンツに到達するまでに選択された１又は複数のフォルダの識別情報を管理する。次にスタンバイ状態から電源オン状態に移行する場合、特定手段が、管理手段によって管理されている１又は複数のフォルダの識別情報、及び、コンテンツの識別情報を使用し、コンテンツリストからコンテンツを特定する。従って、コンテンツのＵＲＬを管理することなく、コンテンツリストの中から、記憶しておいたコンテンツを後から確実に特定することができ、レジューム再生することができる。
【発明の効果】
【００１４】
選択されたコンテンツの情報を管理しておき、後から、管理されているコンテンツをコンテンツリストから確実に特定することができるコンテンツ特定装置を提供することができる。
【図面の簡単な説明】
【００１５】
【図１】本発明の好ましい実施形態によるＡＶアンプを示すブロック図である。
【図２】曲リストを示す図である。
【図３】曲リストを示す図である。
【図４】曲特定テーブルを示す図である。
【図５】制御部２の処理を示すフローチャートである。
【図６】制御部２の処理を示すフローチャートである。
【図７】制御部２の処理を示すフローチャートである。
【図８】制御部２の処理を示すフローチャートである。
【図９】制御部２の処理を示すフローチャートである。
【図１０】制御部２の処理を示すフローチャートである。
【図１１】制御部２の処理を示すフローチャートである。
【図１２】制御部２の処理を示すフローチャートである。
【発明を実施するための形態】
【００１６】
以下、本発明の好ましい実施形態について、図面を参照して具体的に説明するが、本発明はこれらの実施形態には限定されない。図１に示すように、本実施形態によるコンテンツ特定装置として機能するＡＶアンプ１は、インターネット等の任意の電気通信回線を経由して、１又は複数のインターネットラジオサーバ（以下、サーバという。）１０に接続可能である。ＡＶアンプ１は、サーバ１０からコンテンツデータを例えばストリーミング形式で取得し、再生する。コンテンツデータは、曲（音楽、音声）データ、映像データ、又は、画像データ等の総称であるが、本例では曲データ（曲ファイル）である。ＡＶアンプ１は、サーバ１０が蓄積する曲やフォルダ（コンテナ）の一覧であるコンテンツリスト（以下、曲リストという。）をサーバ１０から受信し、表示部７に表示させる。ユーザ操作によって曲リストから曲が選択されると、ＡＶアンプ１は、サーバ１０から曲データを要求および取得し、再生する。
【００１７】
ＡＶアンプ１が表示する曲リストについて説明する。曲リストは階層構造になっている。最初は、図２に示すように、最上位であるｒｏｏｔに含まれるフォルダ（および曲）のリストが表示される。図２において、folder1A〜folder3はフォルダを示し、stationBBB〜stationDDDは曲（再生可能なアイテム）を示している。例えば、stationBBBがユーザ操作によって選択されると、ＡＶアンプ１は、stationBBBの曲データをサーバ１０から取得して再生する。folder1Aがユーザ操作によって選択されると、図３に示すように、folder1A内に含まれるフォルダおよび／または曲のリストがサーバ１０から取得され、表示される。つまり、フォルダが選択されると、１つ下の階層のリストが表示される。図３において、station1AA〜station1AIは曲を示している。例えば、station1AAがユーザ操作によって選択されると、ＡＶアンプ１は、station1AAをサーバ１０から取得して再生する。
【００１８】
図１に示すように、ＡＶアンプ１は、制御部２、ＲＯＭ、ＲＡＭ等のメモリ３、再生部４、増幅部５、操作部６、表示部７および通信部８を備える。制御部２は、ＡＶアンプ１の各部を制御するものであり、マイコンやＣＰＵ等である。制御部２は、ＲＯＭに格納されているコンテンツ特定プログラムをＲＡＭに読み出して実行することにより、後述するコンテンツ特定処理を実行する。
【００１９】
再生部４は、サーバ１０からストリーミング形式で受信した曲ファイルを再生する。再生とは、デコード処理、Ｄ／Ａ変換処理等である。増幅部５は、再生部４によって再生された曲ファイルの音声信号に対して音量調整処理や増幅処理を実行し、外部に接続された図示しないスピーカーに音声信号を供給する。
【００２０】
操作部６は、ユーザ操作を受け付けるものであり、ＡＶアンプ１のフロントパネルに設けられた操作ボタンやリモコン等である。操作部６には、カーソル（アップ、ダウン）キー、メニューキー、エンターキー、リターンキー等が設けられている。
【００２１】
表示部７は、図２、図３に示すような、曲リスト画面を表示するものであり、ＬＣＤやＦＬ管等である。表示部７は、外部に接続されるＴＶ受像機などのディスプレイ装置にこれらの画面をＯＳＤ（オンスクリーンディスプレイ）表示するものでもよい。
【００２２】
通信部８は、インターネット経由でサーバ１０と通信するものであり、サーバ１０に曲リストや曲ファイルの要求を送信し、サーバ１０から曲リストや曲ファイルを受信する。
【００２３】
図２、図３の曲リストが表示され、１つの曲がユーザ操作によって選択されている状態（つまりカーソルが当てられている状態）、または、選択されている曲を再生部４が再生している状態で、ユーザ操作によって、選択されている曲をプリセット登録する指示が入力されると、制御部２は、選択された曲をプリセット登録する。
【００２４】
詳細には、制御部２は、選択された曲の識別情報、及び、ｒｏｏｔフォルダ（又は途中のフォルダからでもよい。以下同様。）から、選択された曲に到達するまでに選択された１又は複数のフォルダの識別情報をメモリ３内で管理する。識別情報は、本例ではタイトルであるが、フォルダや曲の階層位置に付与される番号等でもよい。そして、ユーザ操作によって、図示しないプリセットリストから１つのプリセットが選択され、プリセット再生指示が入力された場合、制御部２は、選択されたプリセットに対応付けてメモリ３に管理されている１又は複数のフォルダのタイトル、及び、曲のタイトルを使用し、曲リストからフォルダや曲を自動的に選択し、再生すべき曲を曲リストから自動的に特定する。
【００２５】
図４は曲特定テーブルを示す図である。曲特定テーブルは、選択された曲のタイトル、及び、ｒｏｏｔフォルダから選択された曲に到達するまでに選択されたフォルダのタイトルを管理するテーブルである。つまり、プリセット登録用のテーブルである。詳細には、プリセット番号であるＮＯ．に対応付けて、PATHおよびTITLEが登録される。TITLEはプリセットリストに表示されるプリセット名であり、ユーザ操作によって任意に付与することができる。
【００２６】
PATHは、選択された曲のサーバ１０における位置情報であり、選択された曲のタイトル、及び、ｒｏｏｔフォルダから選択された曲に到達するまでに選択されたフォルダのタイトルを示す。つまり、曲を選択するまでにユーザ操作によって辿られた曲リストの階層を示す。本例では、PATHは、一般的なＵＲＬの形式を用いて構成されている。例えば、ＮＯ．１のプリセットのＰＡＴＨを例に説明すると、先頭のschemeはスキーム名であり、本例のプリセット登録に使用される情報であることを示す。service1はサービス名であり、インターネットラジオのサービス名（インターネットラジオ局の名称）を示す。%2Fは「／」をエンコードしたものであり、直後に記述された文字列（ここではfolder1A）がｒｏｏｔフォルダ内の文字列であることを示す。folder1Aは、フォルダのタイトルである。station1AAは、曲のタイトルである。以上より、ＮＯ．１のプリセットは、service1サーバ１０に接続し、ｒｏｏｔフォルダ（又はservice1のフォルダ）から、folder1Aを選択し、folder1Aからstation1AAを選択したことを示す。
【００２７】
従って、ユーザ操作によってＮＯ．１のプリセットを再生する指示が入力された場合、制御部２は、service1サーバ１０に接続し、ｒｏｏｔフォルダ（又はservice1のフォルダ）からfolder1Aを選択し、folder1Aからstation1AAを選択することによって、プリセットされた曲をサーバ１０から取得して再生することができる。
【００２８】
次に、本実施形態の動作を説明する。図２又は図３の曲リストからユーザ操作によって１つの曲又はフォルダが選択され、プリセット登録する指示が入力されると、図５に示すように、制御部２は、曲リストから選択されたアイテムが再生可能（つまりフォルダではなく曲）であるか否かを判断する（Ｓ１）。曲が選択された場合（Ｓ１でＹＥＳ）、制御部２は、曲特定情報（PATH、TITLE）の登録処理を実行する（Ｓ２）。
【００２９】
図６に曲特定情報の登録処理を示す。制御部２は、“scheme //”の後ろに対象となるサービス名（インターネットラジオサーバの名称）を付加し、" scheme://(service name)://"を得る（Ｓ１１）。続いて、制御部２は、" scheme://(service
name)://"の後ろに、選択されている曲の位置情報を（folder name）/(station name)の形式で付加し、" scheme://(service
name)://(folder name)/(station name)”を得る（Ｓ１２）。そして、制御部２は、図４の曲特定テーブルに、生成したPATHをプリセット番号に対応付けて登録する（Ｓ１３）。このとき、ユーザ操作によってプリセットのタイトルが入力され、TITLEに登録される。
【００３０】
次に、プリセットのタイトルの一覧であるプリセットリストが表示され、ユーザ操作によってプリセットのタイトルが１つ選択され、プリセット再生指示が入力される場合を説明する。図７に示すように、制御部２は、キー判定処理を実行する（Ｓ２１）。キー判定処理の詳細を図８に示す。制御部２は、ユーザによって操作されたキーがEnter又はPlayであるか否かを判断する（Ｓ３１）。EnterでもPlayでもなければ（Ｓ３１でＮＯ）、キーに対応する処理を実行する（Ｓ３３）。Enter又はPlayである場合（Ｓ３１でＹＥＳ）、制御部２は曲特定テーブルの解析処理を実行する（Ｓ３２）。
【００３１】
Ｓ３２の詳細を図９に示す。制御部２は、曲特定テーブルから、選択されたプリセットのタイトルに対応するPATHを取得する（Ｓ４１）。例えば、タイトルがfolder1A-station1Aであるプリセットが選択されている場合、scheme://service1://%2F/folder1A/station1AAが取得される。制御部２は、取得したPATHにおいてスキーム名がschemeであるか否かを判断する（Ｓ４２）。スキーム名がschemeでなければ（Ｓ４２でＮＯ）処理を終了し、スキーム名がschemeであれば（Ｓ４２でＹＥＳ）、制御部２は、再生コンテキストをメモリ３内に設定する。再生コンテキストは、曲の位置を特定する部分をPATHから抽出した情報であり、%2F以降の部分を抽出するとよい。例えば、PATHがscheme://service1://%2F/folder1A/station1AAであれば、再生コンテキストはfolder1A/station1AAとなる。
【００３２】
図７に戻って、制御部２は、再生コンテキストが設定されているか否かを判断する（Ｓ２２）。再生コンテキストが設定されていなければ（Ｓ２２）、処理を終了し、再生コンテキストが設定されていれば（Ｓ２２でＹＥＳ）、制御部２は、自動再生処理を実行する（Ｓ２３）。
【００３３】
自動再生処理の詳細を図１０に示す。制御部２は再生コンテキストを／を区切り文字として複数の文字列に分割する（Ｓ５１）。例えば、再生コンテキストがfolder1A/station1AAであれば、folder1Aと、station1AAという２つの文字列に分割される。制御部２は、分割した文字列の中で、Ｓ５３で未だ取得されていない文字列が存在するか否かを判断する（Ｓ５２）。存在しなければ（Ｓ５２でＮＯ）、制御部２はエラー処理を実行し（Ｓ６０）、処理を終了する。
【００３４】
存在すれば（Ｓ５２でＹＥＳ）、制御部２は、先頭から順に文字列を１つ選択する（Ｓ５３）。上記の例では、最初はfolder1Aが選択される。制御部２は、PATHのサービス名で特定されるサーバ１０に接続し、サーバ１０から曲リストを取得する。例えば、PATHがscheme://service1://%2F/folder1A/station1AAであれば、service1のサーバ１０から図２に示す曲リストを取得する。
【００３５】
制御部２は、図２の曲リストに含まれるフォルダ又は曲のタイトルのうちＳ５５で未だ取得されていないタイトルが存在するか否かを判断する（Ｓ５４）。ここでは存在するので（Ｓ５４でＹＥＳ）、制御部２は、図２の曲リストに含まれるフォルダ又は曲のタイトルを先頭から順に１つ取得する（Ｓ５５）。制御部２は、Ｓ５３で取得した文字列がＳ５５で取得したタイトルと一致するか否かを判断する（Ｓ５６）。一致しなければ（Ｓ５６でＮＯ）、Ｓ５４に戻って、図２の曲リスト内の次のタイトルを取得する（Ｓ５５）。なお、本例では、Ｓ５３で取得されたfolder1Aが、図２の曲リストの最初に取得するタイトルと一致するので（Ｓ５６でＹＥＳ）、制御部２は、Ｓ５６で一致したタイトルが再生可能なアイテム（つまりフォルダではなく曲）であるか否かを判断する（Ｓ５７）。
【００３６】
folder1Aは再生可能なアイテムではない（つまりフォルダである）ので（Ｓ５７でＮＯ）、制御部２は、folder1Aの曲リスト（図３参照）をサーバ１０に要求し、取得し（Ｓ５８）、Ｓ５２に戻る。次に、分割した文字列の中にＳ５３で未だ取得されていない文字列が存在するので（Ｓ５２でＹＥＳ）、制御部２は、次の文字列であるstation1AAを取得する（Ｓ５３）。
【００３７】
制御部２は、図３の曲リストのタイトルを先頭から順に１つ取得し（Ｓ５４、Ｓ５５）、Ｓ５３で取得した文字列と一致するか否かを判断する（Ｓ５６）。station1AAは、図３の曲リストの最初のタイトルと一致し（Ｓ５６でＹＥＳ）、再生可能なアイテム（フォルダではなく曲）であるので（Ｓ５７でＹＥＳ）、制御部２は、図３の曲リストのstation1AAをサーバに要求および取得し、再生部４に再生させる（Ｓ５９）。
【００３８】
以上のように、本実施形態によると、選択された曲のＵＲＬを記憶するのではなく、選択された曲のタイトル、及び、選択された曲に到達するまでに選択したフォルダのタイトルをPATHとして曲特定テーブルで管理する。プリセットが選択され、再生指示が入力されると、選択されたプリセットに対応付けて管理されているPATHを使用し、自動的に曲リストからフォルダや曲を選択していくことによって、自動的に曲リストからプリセットされた曲を特定することができる。
【００３９】
次に、本発明の別の好ましい実施形態を説明する。本例では、選択された曲を再生しているときに、ユーザ操作に応じてＡＶアンプ１が電源オン状態からスタンバイ状態に移行する場合、制御部２は、再生している曲の識別情報（タイトル）、及び、選択された曲に到達するまでに選択された１又は複数のフォルダの識別情報（タイトル）をメモリ３内で管理する。そして、ユーザ操作によってＡＶアンプ１がスタンバイ状態から電源オン状態に移行する場合、制御部２は、メモリ３に管理されている１又は複数のフォルダのタイトル、及び、曲のタイトルを使用して、レジューム再生すべき曲を自動的に特定する。なお、スタンバイ状態とは、制御部２及びその周辺回路のみに電源電圧を供給し、その他の部分に電源電圧を供給しない状態である。
【００４０】
本例では、図４の曲特定テーブルには１つのPATHのみが管理される。本例の動作は、プリセット登録の場合と概略同じである。つまり、ＡＶアンプ１が電源オン状態からスタンバイ状態に移行する際に、図１１のＳ１０１において現在曲を再生しているか否かが判断され、再生しているとき（Ｓ１０１でＹＥＳ）、Ｓ２（図６）へと進み、曲特定テーブルへPATHを登録する。
【００４１】
ＡＶアンプ１がスタンバイ状態から電源オン状態に移行する際に、図１２において曲特定テーブルに管理されている唯一のPATHを取得し（Ｓ１４１）、再生コンテキストを設定し（Ｓ４２、Ｓ４３）、その後、図１０の自動再生処理（レジューム再生）を実行する。
【００４２】
以上によって、スタンバイ状態に移行する際に再生していた曲のＵＲＬを記憶するのではなく、曲のタイトル、及び、選択された曲に到達するまでに選択したフォルダのタイトルをPATHとして曲特定テーブルで管理する。電源オン状態に移行する際に、曲特定テーブルに管理されているPATHを使用し、自動的に曲リストからフォルダや曲を選択していくことによって、自動的に曲リストからレジューム再生すべき曲を特定することができる。
【００４３】
以上、本発明の好ましい実施形態を説明したが、本発明はこれらの実施形態には限定されない。本発明は、サーバから曲を取得する場合に限定されず、ＰＣ、ＨＤＤレコーダ、ポータブルオーディオプレーヤ等において、自装置のＨＤＤ等の記憶媒体に記録されている曲を特定する場合にも適用され得る。PATHはＵＲＬ形式に限定されず、テーブル形式で１又は複数のフォルダの識別情報と、曲の識別情報とが管理されてもよい。上記のプリセット登録／再生処理と、レジューム登録／再生処理との両方を実行してもよい。上記のコンテンツ特定装置をコンピュータに実行させるためのコンピュータプログラムまたはそのコンピュータプログラムを記録した記録媒体という形態で提供されてもよい。
【産業上の利用可能性】
【００４４】
本発明は、ＡＶアンプ、ネットワークＡＶクライアント等に好適に採用され得る。
【符号の説明】
【００４５】
１              ＡＶアンプ
２              制御部
３              メモリ
４              再生部
５              増幅部
６              操作部
７              表示部
８              通信部
【図１】
2011232961.tif 000003
【図２】
2011232961.tif 000004
【図３】
2011232961.tif 000005
【図４】
2011232961.tif 000006
【図５】
2011232961.tif 000007
【図６】
2011232961.tif 000008
【図７】
2011232961.tif 000009
【図８】
2011232961.tif 000010
【図９】
2011232961.tif 000011
【図１０】
2011232961.tif 000012
【図１１】
2011232961.tif 000013
【図１２】
2011232961.tif 000014